(57)【要約】【課題】発話による音声から認識されるテキストを議事録等の文書として記録する際に、発話内容を属性に応じて適切に分類可能な文書記録装置を提供する。【解決手段】会議等の発話による音声を取得して認識する音声認識部１３と、認識された音声から属性を示す特定のキーワードを検出するキーワード検出部１５と、検出されたキーワード毎にキーワードに続く音声から認識されるテキストを関連付けて記憶する記憶処理部１９とを備える。【選択図】図２
2016102920.tif 000002
【特許請求の範囲】
【請求項１】
発話による音声を取得して認識する音声認識部と、
前記認識された音声から属性を示す特定のキーワードを検出するキーワード検出部と、
前記検出されたキーワード毎に前記キーワードに続く音声から認識されるテキストを関連付けて記憶する記憶処理部と、
を備えることを特徴とする文書記録装置。
【請求項２】
請求項１記載の文書記録装置であって、
前記記憶されているテキストを前記キーワードに応じて分類した文書を作成する文書作成部を備える、
ことを特徴とする文書記録装置。  
【請求項３】
請求項１又は２記載の文書記録装置であって、
前記文書作成部は、前記キーワード毎のテキストが記憶されるたびに前記文書を作成又は更新する、
ことを特徴とする文書記録装置。
【請求項４】
請求項１〜３の何れか一項に記載の文書記録装置であって、
前記音声認識部は、前記取得した音声を逐次認識し、
前記キーワード検出部は、前記逐次認識された音声から前記特定のキーワードを逐次検出し、
前記記憶処理部は、前記キーワードに続いて取得された音声から逐次認識されるテキストに対して前記記憶を行う、
ことを特徴とする文書記録装置。
【請求項５】
発話による音声を取得して認識する音声認識機能と、
前記認識された音声から属性を示す特定のキーワードを検出するキーワード検出機能と、
前記検出されたキーワードに続く音声から認識されるテキストを前記キーワードに関連付けて記憶する記憶処理機能と、
をコンピューターに実現させることを特徴とする文書記録プログラム。
【発明の詳細な説明】
【技術分野】
【０００１】
本発明は、会議等での発話による音声に基づくテキストを記録する文書記録システム及び文書記録プログラムに関する。
【背景技術】
【０００２】
会議においては、議事録を記録しておくこと一般的に行われるが、近年では、会議の発話による音声から認識されるテキストを議事録として記録する技術がある。
【０００３】
例えば、特許文献１には、会議中の一区切りの音声を音声メモとして記憶しておき、各音声メモを再生して認識されるテキストをテキストメモとして文章化することが開示されている（背景技術参照）。この技術では、テキストメモを構造化することによって会議の発話内容を要約した議事録を作成できる。
【０００４】
ところで、議事録においては、発話内容をポイントや結論等の属性に応じて分類することが望ましい。
【０００５】
しかし、特許文献１では、音声メモの記憶を操作者の指定に応じて行うため、必ずしも音声のメモが発話内容の属性毎に記憶されるとは限らず、発話内容を属性に応じて適切に分類した議事録を記録することが困難であった。
【先行技術文献】
【特許文献】
【０００６】
【特許文献１】特開２００８−１７２５８２号公報
【発明の概要】
【発明が解決しようとする課題】
【０００７】
本発明が解決しようとする問題点は、発話による音声から認識されるテキストを議事録等の文書として記録する際に、発話内容を属性に応じて適切に分類できないおそれがある点である。
【課題を解決するための手段】
【０００８】
本発明は、発話による音声を取得して認識する音声認識部と、前記認識された音声から属性を示す特定のキーワードを検出するキーワード検出部と、前記検出されたキーワード毎に前記キーワードに続く音声から認識されるテキストを関連付けて記憶する記憶処理部とを備えることを文書記録装置の最も主な特徴とする。
【発明の効果】
【０００９】
本発明によれば、会議等の発話による音声から認識されるテキストを、キーワード毎の属性に応じて適切に分類しつつ議事録等の文書として記録することができる。
【図面の簡単な説明】
【００１０】
【図１】本発明の一実施例に係る文書記録装置を含む文書記録システムの全体構成を示す概念図である。
【図２】図１の文書記録装置の詳細をマイクと共に示すブロック図である。
【図３】検出用キーワードの一例を示す図表である。
【図４】文書の作成を示す概念図である。
【図５】図１の文書記録システムによる文書記録処理を示すフローチャートである。
【発明を実施するための形態】
【００１１】
発話による音声から認識されるテキストを議事録等の文書として記録する際に、発話内容を属性に応じて適切に分類できるようにするという目的を、発話による音声を取得して認識し、認識された音声から属性を示す特定のキーワードを検出し、検出されたキーワード毎にキーワードに続く音声から認識されるテキストを関連付けて記憶する文書記録装置により実現した。
【００１２】
［文書記録システムの構成］
図１は、本発明の一実施例に係る文書記録装置を含む文書記録システムの全体構成を示す概念図、図２は、文書記録装置の詳細をマイクと共に示すブロック図である。
【００１３】
文書記録システム１は、図１のように、操作装置３、マイク５、文書記録装置７等を備え、発話による音声をマイク５から入力させ、入力された音声から認識されるテキストを文書記録装置７に文書として記録するものである。なお、本実施例では、会議中の発話による音声から認識されるテキストを、議事録として記録する場合について説明する。
【００１４】
操作装置３は、いわゆるスマートフォンのような多機能携帯電話機やパーソナルコンピューター等の情報処理装置であり、文書記録装置７にＬＡＮ等の有線又は無線ネットワークや近距離無線等によって接続されている。
【００１５】
操作装置３は、文書記録装置７に対し、キーボード、マウス、タッチパネル等の入力装置を介した操作入力を可能とする。本実施例では、操作装置３での操作入力により、文書記録装置７での文書記録開始等を指示することが可能となっている。
【００１６】
マイク５は、文書記録装置７に有線又は無線によって接続され、会議において発話による音声の入力を可能とする。入力された音声は、マイク５から文書記録装置７に送られる。マイク５は、発話による音声を通じ、文書記録装置７での文書記録開始等を指示することも可能とする。
【００１７】
文書記録装置７は、情報処理装置であり、図１及び図２のように、記憶部９と、制御部１１とを備える。
【００１８】
記憶部９は、文書記録プログラムや処理に必要なデータを記憶するＲＯＭ（Read Only Memory）、作業領域としてのＲＡＭ（Random Access Memory）、補助記憶装置としてのＨＤＤ（Hard Disk Drive）等を含む記憶装置である。
【００１９】
制御部１１は、コンピューターとしての演算処理装置であり、文書記録プログラムを実行して文書記録装置７の機能を実現する。具体的には、制御部１１が、音声認識部１３、キーワード検出部１５、キーワード管理部１７、記憶処理部１９、文書作成部２１として機能する。
【００２０】
音声認識部１３は、音声認識機能を実現し、発話による音声を取得して認識する。すなわち、音声認識部１３は、マイク５から送られてくる音声を受け取って周知の音声認識技術により認識し、受け取った音声から文字データとしてのテキストを抽出する。
【００２１】
本実施例では、取得した音声を逐次認識する構成となっている。具体的には、マイク５から送られてくる音声を音声認識部１３が受け取りつつ逐次認識してテキストを抽出する。従って、本実施例では、発話に対してリアルタイムでテキストが抽出される。
【００２２】
キーワード検出部１５は、キーワード検出機能を実現し、音声認識部１３によって認識された音声、つまり音声認識部１３で抽出されたテキストから特定のキーワードを検出する。本実施例のキーワードの検出は、リアルタイムで、音声認識部１３で抽出されたテキストから逐次行われる。キーワードの検出は、記憶部９内の検出用キーワードを参照することで実現される。
【００２３】
図３に検出用キーワードの一例を示す。キーワードは、会議での発話内容を属性に応じて分類可能とするもので、例えば図３のように、「テーマ」、「日時」、「会議室」、「参加者」、「発話者」、「ポイント」、「結論」、「アクションアイテム」等がある。なお、アクションアイテムは、「誰が、何時までに、何をするか」といった内容を意味するものである。
【００２４】
キーワード管理部１７は、キーワード管理機能を実現し、検出用キーワードを管理する。キーワード管理部１７は、管理者等の指示に応じて、記憶部９内に記憶されているキーワード群の中から図３等のように検出用キーワードを設定する。管理者等からの指示は、例えば、操作装置３を通じて行うことができる。
【００２５】
キーワード群は、デフォルトのキーワードの他に管理者等が任意に追加したキーワードを含む。任意のキーワードの追加は、例えば、操作装置３を通じた管理者等からの追加指示に応じ、指示されたキーワードをキーワード管理部１７が記憶部９内に記憶する。
【００２６】
記憶処理部１９は、記憶処理機能を実現し、キーワード検出部１５で検出されたキーワード毎に、キーワードに続く音声から認識されるテキストを関連付けて記憶部９内に記憶する。本実施例のテキストの記憶としては、リアルタイムで、キーワードに続く音声から逐次認識されるテキストを逐次記憶する。
【００２７】
記憶されるテキストの範囲は、キーワード後の一連のテキストの抽出が終了するまでである。また、同一の会議中においては、異なるキーワードに対するテキストが記憶の際に相互に関連付けられる。
【００２８】
文書作成部２１は、文書作成機能を実現し、記憶部９内に記憶されているテキストをキーワードに応じて分類した文書としての議事録を作成する。議事録の作成は、テキストの記憶部９への記憶に応じてリアルタイムに行う。
【００２９】
図４は、議事録の作成を示す概念図である。
【００３０】
議事録の作成においては、文書作成部２１が、キーワード毎のテキスト及びテンプレートを記憶部９から取得し、図４のようにテンプレートの形式に基づいてキーワード毎のテキストを必要に応じて下線やハイライト等の修飾を加えつつレイアウトする。なお、テンプレートの形式は、操作装置３を通じた管理者等からの指示に応じて、事前に変更することが可能である。
【００３１】
［文書記録処理］
図５は、図１の文書記録システム１による文書記録処理を示すフローチャートである。
【００３２】
文書記録処理は、例えば、会議の開始時等に、操作装置３等を通じて文書記録装置７に文書の記録を指示することで開始される。なお、本実施例の文書記録処理のためには、キーワードを発話者に周知し、発話者にキーワードの後に関連する内容を発話させる。
【００３３】
ステップＳ１では、「音声の逐次取得」が実行される。すなわち、音声認識部１３は、マイク５から入力される音声を逐次受け取って取得する。これにより、ステップＳ１が完了し、ステップＳ２へ移行する。
【００３４】
ステップＳ２では、「音声の逐次認識」が実行される。すなわち、音声認識部１３は、ステップＳ１で音声を取得しつつ取得した音声を逐次認識してテキストを抽出する。こうしてステップＳ２が完了し、ステップＳ３へ移行する。
【００３５】
ステップＳ３では、「キーワード検出か？」の処理が実行される。すなわち、キーワード検出部１５は、ステップＳ２で逐次抽出されるテキストからキーワードが検出されたか否かを判断する。具体的には、逐次抽出されるテキストに含まれる文字列が、図３の検出用キーワード中の特定のキーワードに一致するか否かを判断する。
【００３６】
キーワードが検出された場合は、ステップＳ４へ移行し（ＹＥＳ）、キーワードが検出されない場合は、ステップＳ３の処理を繰り返す（ＮＯ）。
【００３７】
ステップＳ４では、「テキストの記録開始」が実行される。すなわち、記憶処理部１９は、ステップＳ３で検出されたキーワードに続いて逐次抽出されるテキストを、キーワードに関連付けて記憶部９内へ記憶していく。
【００３８】
例えば、図３の「テーマ」をキーワードとして検出した場合は、それに続くテキストが「テーマ」の内容を示すものとして関連付けられて記憶部９内に記憶されていく。その他のキーワードについても同様である。
【００３９】
なお、「発話者」がキーワードの場合は、それに続くテキストが発話者を特定する氏名及び特定された発話者による発話内容を示すものとして記憶部９内に記憶されていく。同時に、発話者の発話中に他のキーワードが検出されると、それに続くテキストが平行して他のキーワードの内容を示すものとして記憶部９内に記憶されていく。
【００４０】
こうしてステップＳ４が完了し、ステップＳ５へ移行する。
【００４１】
ステップＳ５では、「テキストの抽出が終了したか？」の処理が実行される。すなわち、記憶処理部１９は、ステップＳ３で検出されたキーワードに続く一連のテキストの抽出が終了したか否かを判断する。
【００４２】
例えば、マイク５からの音声の入力が途切れた場合は、テキストの抽出も終了するため、その時点で一連のテキストの抽出が終了したと判断できる。或は、次のキーワードを検出したときに、一連のテキストの抽出が終了したと判断することも可能である。
【００４３】
音声の入力が途切れてテキストの抽出が終了した場合は、一度途切れた後に再度音声が入力され、途切れた前後の音声から認識されるテキストを一連とする必要が生じることもある。このため、音声の入力が途切れてテキストの抽出が終了した場合は、タイマーを起動して特定時間内にテキストの抽出が再開されなければ、一連のテキストの抽出が終了したと判断してもよい。
【００４４】
テキストの抽出が終了した場合は、ステップＳ６へ移行し（ＹＥＳ）、テキストの抽出が終了していない場合は、ステップＳ５の処理を繰り返す。
【００４５】
ステップＳ６では、「テキストの記録終了」が実行される。すなわち、記憶処理部１９は、ステップＳ５でのテキストの抽出終了に応じ、キーワードに関連付けた一連のテキストの記憶を終了させる。これにより、文書記録処理は、ステップＳ３に戻って次のキーワードの検出に備え、文書記録の終了が指示されるまで繰り返される。文書記録の終了の指示は、例えば、会議の終了時等に、操作装置３等を通じて行われる。
【００４６】
このように、文書記録処理では、キーワード毎の一連のテキストを文書片として記憶していき、複数の文書片の記憶によって会議中の発話による議事録が記録される。
【００４７】
本実施例では、文書片が一つでも記憶されると、これに応じて記憶された文書片を内容とする議事録がリアルタイムに作成される。
【００４８】
例えば、「テーマ」のキーワードに関連付けられたテキストが文書片として記憶された場合は、図４の議事録中の「テーマ」部分にのみテキストがレイアウトされる。
【００４９】
そして、他の文書片が順次記憶されるに従って、対応するテキストが追加された議事録がリアルタイムに作成、更新される。
【００５０】
作成された議事録は、会議の参加者の情報処理端末やプロジェクター等に送られ、参加者にリアルタイムに閲覧させることができる。
【００５１】
［実施例の効果］
本実施例の文書記録装置７は、会議等の発話による音声を取得して認識する音声認識部１３と、認識された音声から属性を示す特定のキーワードを検出するキーワード検出部１５と、検出されたキーワード毎にキーワードに続く音声から認識されるテキストを関連付けて記憶する記憶処理部１９とを備える。
【００５２】
従って、本実施例では、会議の発話による音声から認識されるテキストを、キーワード毎の属性に応じて適切に分類しつつ議事録として記録することができる。
【００５３】
また、本実施例の文書記録装置７は、記憶部９に記憶されているテキストをキーワードに応じて分類した議事録を作成する文書作成部２１を備えるため、記憶されているキーワード毎のテキストを用いて適切な分類がなされた議事録を作成することができる。
【００５４】
文書作成部２１は、キーワード毎のテキストが記憶されるたびに議事録を作成又は更新するので、会議の全ての発話の音声に基づくテキストを記憶する前であっても、部分的に記載された議事録を作成することができる。
【００５５】
特に、本実施例の文書記録装置７では、音声認識部１３が取得した音声を逐次認識し、キーワード検出部１５が逐次認識された音声から特定のキーワードを逐次検出し、記憶処理部１９がキーワードに続いて取得された音声から逐次認識されるテキストに対してキーワードに関連付けた記憶を行う。
【００５６】
従って、本実施例では、リアルタイムにキーワード毎のテキストの記憶を行いつつ、既に記憶されているテキストに基づいて会議の進行に応じた部分的な議事録をリアルタイムに作成することができる。このため、本実施例では、作成された議事録を会議中の参加者等に閲覧等を通じてリアルタイムに利用させることが可能となる。
［その他］
本発明は、上述の実施例に限定されるものではなく、各種の変更が可能である。
【００５７】
例えば、音声認識部１３は、認識している音声の発話者を周知の話者認識技術により識別してもよい。発話者の識別では、発話者を特定するか、或は発話者を特定せずに他の発話者と区別すればよい。なお、発話者を特定する場合は、事前に発話者の音声データを記憶部９内に記憶しておく必要がある。
【符号の説明】
【００５８】
７  文書記録装置
１３  音声認識部
１５  キーワード検出部
１９  記憶処理部
２１  文書作成部
【図２】
2016102920.tif 000003
【図３】
2016102920.tif 000004
【図４】
2016102920.tif 000005
【図５】
2016102920.tif 000006
【図１】
2016102920.tif 000007